(57)【要約】【課題】穿孔補助部材を破損しにくくし、ウォーターサーバーの係合部材での保持ができなくなることを防ぐ、飲料水容器およびウォーターサーバーと飲料水容器との接合構造を提供する。【解決手段】飲料水容器は、軟素材で形成された容器本体と、容器本体の所定の位置に設けられた穿孔補助部材とを備える飲料水容器であって、穿孔補助部材は、側壁と、側壁の一端から外方に延出し前記容器本体に取り付けられるフランジと、側壁の内周面および外周面の少なくとも一方であって、前記側壁の端部以外の位置から突出する係合突起とを含む。【選択図】図２
2019189319.tif 000002
【特許請求の範囲】
【請求項１】
軟素材で形成された容器本体と、
前記容器本体の所定の位置に設けられた穿孔補助部材とを備える飲料水容器であって、
前記穿孔補助部材は、
側壁と、
前記側壁の一端から外方に延出し前記容器本体に取り付けられるフランジと、
前記側壁の内周面および外周面の少なくとも一方であって、前記側壁の端部以外の位置から突出する係合突起とを含む、
飲料水容器。
【請求項２】
ウォーターサーバーと飲料水容器との接合構造であって、
前記飲料水容器は、
軟素材で形成された容器本体と、前記容器本体の所定の位置に設けられた穿孔補助部材とを備え、
前記穿孔補助部材は、
側壁と、
前記側壁の一端から外方に延出し前記容器本体に取り付けられるフランジと、
前記側壁の内周面および外周面の少なくとも一方であって、前記側壁の端部以外の位置から突出する係合突起とを含み、
前記ウォーターサーバーは、
前記係合突起と係合する係合部を含み、飲料水容器から内容物を取り出す接合部を備え、
前記飲料水容器の前記係合突起と前記ウォーターサーバーの前記係合部とが係合することにより接合される、ウォーターサーバーと飲料水容器との接合構造。
【発明の詳細な説明】
【技術分野】
【０００１】
本発明は、ウォーターサーバー等に用いられる飲料水容器およびウォーターサーバーと飲料水容器との接合構造に関するものである。
【背景技術】
【０００２】
軟包装材等を用いて形成された飲料水容器を収容して使用するウォーターサーバーが知られている。
【０００３】
特許文献１には、飲料水の入った袋（飲料水容器）をセットするボトルホルダーを備え、ボトルホルダーに袋をセットすると、ボトルホルダーの底面に設けられたニードルによって袋に孔が開けられ、流出した飲料水がニードルの通路を通って冷却タンクへ貯められるウォーターサーバーが開示されている。
【０００４】
また、特許文献２には、水袋収容部に収容された飲料水の入った水袋（飲料水容器）の上部に、フレキシブルな取水管路の先端に設けられた配管器具の中空針（ニードル）を突き刺して飲料水を取り出すことのできるウォーターサーバーが開示されている。
【先行技術文献】
【特許文献】
【０００５】
【特許文献１】特許第４６７７５０８号公報
【特許文献２】特許第５３８０５８４号公報
【発明の概要】
【発明が解決しようとする課題】
【０００６】
特許文献２の飲料水容器は、穿孔される箇所に筒状の穿孔補助部材が設けられ、穿孔時のニードルと飲料水容器との位置合わせや、穿孔後の位置ずれの抑制に用いられる。穿孔補助部材は、筒状の側壁と、側壁の両端に設けたフランジとを備える。飲料水容器に穿孔する際には、ウォーターサーバーに設けた把持部材により穿孔補助部材の側壁を保持しながら穿孔を行う。穿孔補助部材に設けられたフランジの一方は容器本体に溶着され、他方は把持部材と係合するため、飲料水容器がウォーターサーバーから離脱することを防ぐことができる。
【０００７】
しかしながら、穿孔補助部材のフランジは側壁の端部に形成されているため、容器本体とは反対側のフランジは飲料水容器が落下する等した際に力が加わり破損することがあった。その結果、ウォーターサーバーの把持部材で穿孔補助部材を保持することができなくなるおそれがあった。
【０００８】
本発明はこのような課題に鑑みてなされたものであり、穿孔補助部材を破損しにくくし、ウォーターサーバーの係合部材での保持ができなくなることを防ぐ、飲料水容器およびウォーターサーバーと飲料水容器との接合構造を提供することを目的とする。
【課題を解決するための手段】
【０００９】
上記課題を解決するための本発明の一局面は、軟素材で形成された容器本体と、容器本体の所定の位置に設けられた穿孔補助部材とを備える飲料水容器であって、穿孔補助部材は、側壁と、側壁の一端から外方に延出し前記容器本体に取り付けられるフランジと、側壁の内周面および外周面の少なくとも一方であって、前記側壁の端部以外の位置から突出する係合突起とを含む、飲料水容器である。
【００１０】
また、本発明の他の局面は、ウォーターサーバーと飲料水容器との接合構造であって、飲料水容器は、軟素材で形成された容器本体と、容器本体の所定の位置に設けられた穿孔補助部材とを備え、穿孔補助部材は、側壁と、側壁の一端から外方に延出し容器本体に取り付けられるフランジと、側壁の内周面および外周面の少なくとも一方であって、側壁の端部以外の位置から突出する係合突起とを含み、ウォーターサーバーは、係合突起と係合する係合部を含み、飲料水容器から内容物を取り出す接合部を備え、飲料水容器の係合突起とウォーターサーバーの係合部とが係合することにより接合される、ウォーターサーバーと飲料水容器との接合構造である。
【発明の効果】
【００１１】
本発明によれば、穿孔補助部材を破損しにくくし、ウォーターサーバーの係合部材での保持ができなくなることを防ぐ、飲料水容器およびウォーターサーバーと飲料水容器との接合構造を提供することができる。
【図面の簡単な説明】
【００１２】
【図１】本発明の一実施形態に係る飲料水容器を収容したウォーターサーバーの模式図
【図２】本発明の一実施形態に係る飲料水容器の斜視図および拡大断面図
【図３】変形例に係る飲料水容器の拡大断面図
【図４】本発明の一実施形態に係るウォーターサーバーと飲料水容器との接合構造を示す拡大断面図
【発明を実施するための形態】
【００１３】
本発明の実施形態に係る飲料水容器およびウォーターサーバーと飲料水容器との接合構造について、図を参照して説明する。
【００１４】
＜構成＞
図１に、本発明の一実施形態に係る飲料水容器１００を収容したウォーターサーバー５００の模式図を示し、図２に、飲料水容器１００の斜視図とそのＡ−Ａ’線に沿った拡大断面図を示す。図２に示すように、飲料水容器１００は、容器本体１１０と、穿孔補助部材１２０とを含んで構成される。
【００１５】
図１に示すように、飲料水容器１００は、ウォーターサーバー５００に収容して用いられる。飲料水容器１００は、ウォーターサーバー５００の収容部５１０に収容された後、ウォーターサーバー５００が備える中空のニードル５２０を用いて容器本体１１０の表面に飲料水を取出すための孔が穿孔される。ニードル５２０の先端付近には通孔が形成されており、通孔からニードル５２０の内部に流入した飲料水はウォーターサーバー５００の内部に設けられた貯水タンク５３０へ貯留される。貯水タンク５３０に貯留された飲料水は、給水栓５４０を通して外部へ取り出すことができる。
【００１６】
ウォーターサーバー５００は、飲料水容器１００から内容物である飲料水を取り出すための接合部５５０を備える。接合部５５０には、後述する飲料水容器１００の穿孔補助部材１２０と係合するための係合部５５１が形成されている。
【００１７】
図１に示すように、ウォーターサーバー５００では、飲料水容器１００を貯水タンク５３０や給水栓５４０より上方に収容することで、大気圧や飲料水の自重によって飲料水を外部に取り出しているが、飲料水容器１００を貯水タンク５３０や給水栓５４０の下方に収容し、飲料水をポンプ等で吸い上げて外部に取り出してもよい。
【００１８】
また、ウォーターサーバー５００では、接合部５５およびニードル５２０を収容部５１０の底部に設けて飲料水容器１００の下方から穿孔しているが、フレキシブルな取水管路の先に接合部およびニードルを設けて飲料水容器１００の上方から穿孔できるように構成してもよい。
【００１９】
また、ウォーターサーバー５００では、一旦、貯水タンク５３０に貯留した飲料水を給水栓５４０へ供給しているが、貯水タンク５３０を設けずに飲料水を給水栓５４０に直接導いてもよい。
【００２０】
（容器本体）
容器本体１１０は、軟素材（軟包装材料）で形成された包装袋である。容器本体１１０の内容量は特に限定されないが、用いられるウォーターサーバー５００の大きさに応じて例えば１リットル〜２０リットルの大きさに形成される。容器本体１１０の形状は特に限定されないが、例えば１枚の矩形状のフィルムを折り曲げて、合わせた端縁をシールして収容部を形成した三方シール袋や、四方シール袋等が好適に用いることができる。
【００２１】
容器本体１１０に用いられる軟素材は、単層フィルム、積層フィルムのいずれであってもよい。フィルムの材料は特に限定されないが、単層フィルムであれば、例えばポリエチレン（ＰＥ）を用いることができる。また、積層フィルムであれば、例えば、容器本体１１０の外方側からＰＥ／ナイロン（ＮＹ）／ＰＥ、ＰＥ／ＮＹ／ポリエチレンテレフタレート（ＰＥＴ）、ＰＥ／ＮＹ／透明蒸着ＰＥＴ、ＰＥ／ＮＹ／（ポリシクロオレフィン層を有するＰＥ）をそれぞれ積層したフィルムを用いることができる。
【００２２】
（穿孔補助部材）
穿孔補助部材１２０は、容器本体１１０の穿孔が予定される所定の位置に設けられる部材である。穿孔補助部材１２０は、側壁１２１と、側壁１２１の一端から外方に延出するように設けられたフランジ１２２と、側壁１２１の外周面であって、側壁１２１の端部以外の位置から突出する係合突起１２３とを含む。穿孔補助部材１２０は、側壁１２１が容器本体１１０の外面から外方に延出するように、フランジ１２２を容器本体１１０の外面に超音波等を用いた溶着等で固定することで容器本体１１０に取り付けられる。
【００２３】
係合突起１２３は、側壁１２１の内周面および外周面の少なくとも一方から突出するように形成すればよい。図３に、側壁１２１の内周面から突出する係合突起１２３を備えた、変形例に係る穿孔補助部材１２０の断面図を示す。なお、係合突起１２３は、側壁１２１の周方向にわたって連続的に設けてもよいし、周方向に断続的に設けてもよい。
【００２４】
穿孔補助部材１２０は、ニードル５２０により穿孔すべき穿孔予定部１１１の位置を示し、穿孔の後は側壁１２１によってニードル５２０と容器本体１１０との位置ずれを抑制することができる。
【００２５】
穿孔補助部材１２０の材料は特に限定されないが、ＰＥ、ＰＥＴ、およびこれらの組み合せ等を用いることができる。
【００２６】
なお、穿孔補助部材１２０は、側壁１２１内に塵埃が入るのを抑制するため、未使用時に側壁１２１の開口を覆う蓋材を備えてもよい。また、側壁１２１、フランジ１２２には、一部に開口、切欠き等を設けてもよいが、フランジ１２２は、容器本体１１０のフィルムに曲がりやしわが発生しないよう、容器本体１１０と接触する領域が２つ以上に分離せず連続する形状であることが好ましい。
【００２７】
＜ウォーターサーバーと飲料水容器との接合構造＞
図４に、ウォーターサーバー５００と飲料水容器１００との接合構造を示す、図１のＡ部の拡大断面図を示す。ウォーターサーバー５００と飲料水容器１００とは、飲料水容器１００の係合突起１２３とウォーターサーバー５００の係合部５５１とが係合することにより、位置決めされた状態でしっかりと接合される。
【００２８】
図４に示すように、接合部５５０は、一例として筒状のハウジング５５２と、ハウジング５５２の内周にハウジング５５２と同軸状に形成された筒状の把持部５５３とを備える。把持部５５３には、係合突起１２３に対応する形状の開口である係合部５５１が形成されている。把持部５５３により穿孔補助部材１２０の側壁１２１の外周面を覆うとともに、係合突起１２３を係合部５５１に係合させることにより、ウォーターサーバー５００と飲料水容器１００とを接合させることができる。把持部５５３には、飲料水をハウジング５５２に流出させるための孔を設けてもよい。
【００２９】
＜効果＞
このように、本発明によれば、穿孔補助部材の係合突起が側壁の端部以外の位置から突出するように形成される。このため、飲料水容器が落下する等した場合に、突起に力が加わりにくく、破損しくにい。したがって、穿孔補助部材の係合突起を破損しにくくし、ウォーターサーバーでの保持ができなくなることを防ぐことができる。
【産業上の利用可能性】
【００３０】
本発明は、ウォーターサーバー用の飲料水容器等に用いることができる。
【符号の説明】
【００３１】
１００    飲料水容器
１１０    容器本体
１２０    穿孔補助部材
１２１    側壁
１２２    フランジ
１２３    係合突起
５００    ウォーターサーバー
５１０    収容部
５２０    ニードル
５３０    貯水タンク
５４０    給水栓
５５０    接合部
５５１    係合部
５５２    ハウジング
５５３    把持部
【図１】
2019189319.tif 000003
【図２】
2019189319.tif 000004
【図３】
2019189319.tif 000005
【図４】
2019189319.tif 000006